(57)【要約】【課題】  取り付け・取り外し・保守及び輸送・保管が便利で、全体的な構造をよりコンパクトにできる電動カーテンに応用されるカーテン駆動アセンブリを提供する。【解決手段】カーテン駆動アセンブリは、内部に収容室が形成され、収容室内に電源モジュール及び駆動モーターを配置した筐体１と、筐体１のテール部を覆い被せる後蓋板６と、電源モジュールに電気的に接続され、制御スイッチ８の少なくとも一部が後方に向けて後蓋板６から突出するか、又は後蓋板６に形成され、電源モジュールの電力出力のオンオフ状態を調整するための制御スイッチ８を備える。電源ボックスアセンブリを電動カーテン本体から独立して設計することで、取り付け・取り外し・保守及び輸送・保管が便利となり、同時に制御スイッチを筐体のテール部の後蓋板に配置することで、設計スペースを効果的に節約し、筐体内により大きな容量の電源モジュールを追加で取り付けることができる。【選択図】  図3
0003234683.tif 000002
【実用新案登録請求の範囲】
【請求項１】
電動カーテンに応用されるカーテン駆動アセンブリであって、
内部に収容室が形成され、前記収容室内に互いに電気的に接続された電源モジュール及び駆動モーター（４）が配置され、前記駆動モーター（４）の出力軸が前方に向けて筐体（１）の前端面から突出する筐体（１）と、
前記筐体（１）のテール部を覆い被せる後蓋板（６）と、
前記電源モジュールに電気的に接続され、制御スイッチ（８）の少なくとも一部が後方に向けて前記後蓋板（６）から突出するか、又は前記後蓋板（６）に形成され、前記電源モジュールの電力出力のオンオフ状態を調整するための制御スイッチ（８）と、
を備えることを特徴とする、電動カーテンに応用されるカーテン駆動アセンブリ。
【請求項２】
前記電源モジュールは、互いに電気的に接続されたバッテリー（２）と回路基板（３）とを備え、前記制御スイッチ（８）が前記回路基板（３）に電気的に接続されることを特徴とする、請求項１に記載の電動カーテンに応用されるカーテン駆動アセンブリ。
【請求項３】
前記筐体（１）のテール部と前記後蓋板（６）との間に取り付け溝が形成され、前記取り付け溝内に前記回路基板（３）と互いに電気的に接続されたライトボード（７）が固設され、前記制御スイッチ（８）は前記ライトボード（７）に形成され、端部が後方に向けて前記後蓋板（６）に穿設されたスロットから突出することを特徴とする、請求項２に記載の電動カーテンに応用されるカーテン駆動アセンブリ。
【請求項４】
前記制御スイッチ（８）は、トグル構造であることを特徴とする、請求項１又は３に記載の電動カーテンに応用されるカーテン駆動アセンブリ。
【請求項５】
前記筐体（１）の前端は、前蓋板（１０）で封止され、前記前蓋板（１０）に前記駆動モーター（４）の出力軸が挿通するための貫通穴が穿設され、前記ライトボード（７）には複数の表示灯（９）を有し、前記表示灯（９）の端部が後方に向けて前記後蓋板（６）に穿設された対応穴部を挿通し、前記筐体（１）テール部の側壁にもノッチが穿設され、透明板（１２）で封止され、前記透明板（１２）が少なくとも１つの前記表示灯（９）に向き合うことを特徴とする、請求項３に記載の電動カーテンに応用されるカーテン駆動アセンブリ。
【考案の詳細な説明】
【技術分野】
【０００１】
本考案は、電動カーテンの技術分野に関し、特に、電動カーテンに応用されるカーテン駆動アセンブリに関する。
【背景技術】
【０００２】
電動カーテンは、住宅及び商業施設で幅広く活用され、一般的な電動カーテンについて電動カーテン本体に電源アセンブリ及び駆動アセンブリを設計する必要がある。従来技術では、ほぼ両者を直接電動カーテン本体の内部に統合するため、取り付け・取り外し・保守及び輸送・保管が非常に不便であるという問題が存在している。このため、交換や保守を容易にし、独立した部品としての統合型電源ボックスが市場に出回りし始めるが、まだ問題があり、すなわち、従来の電源ボックスは、通常、商用電源に接続する方法で電動カーテン内の各電気機器への電力供給を実現し、直接電動カーテン主体に取り付けるものと基本的に同じであり、同時に全体的な構造も大型で複雑になっている。
【考案の概要】
【考案が解決しようとする課題】
【０００３】
従来技術に存在している上記問題点に着目し、本考案は、上記技術的欠陥を克服するため、設計スペースを効果的に節約し、全体的な構造をよりコンパクトにさせ、電動カーテンに応用されるカーテン駆動アセンブリを提供することを目的とする。
【課題を解決するための手段】
【０００４】
本考案は、上記目的を達成するため以下のような技術的手段を講じた。
電動カーテンに応用されるカーテン駆動アセンブリであって、
内部に収容室が形成され、収容室内に互いに電気的に接続された電源モジュール及び駆動モーターが配置され、駆動モーターの出力軸が前方に向けて筐体の前端面から突出する筐体と、
筐体のテール部を覆い被せる後蓋板と、
電源モジュールに電気的に接続され、制御スイッチの少なくとも一部が後方に向けて後蓋板から突出するか、又は後蓋板に形成され、電源モジュールの電力出力のオンオフ状態を調整するための制御スイッチと、を備える。
【０００５】
好ましくは、電源モジュールは、互いに電気的に接続されたバッテリーと回路基板とを備え、制御スイッチが回路基板に電気的に接続される。
【０００６】
好ましくは、筐体のテール部と後蓋板との間に取り付け溝が形成され、取り付け溝内に回路基板と互いに電気的に接続されたライトボードが固設され、制御スイッチはライトボードに形成され、端部が後方に向けて後蓋板に穿設されたスロットから突出する。
【０００７】
好ましくは、制御スイッチは、トグル構造である。
【０００８】
好ましくは、筐体の前端は、前蓋板で封止され、前蓋板に駆動モーターの出力軸が挿通するための貫通穴が穿設される。
【０００９】
好ましくは、ライトボードには複数の表示灯を有し、表示灯の端部が後方に向けて後蓋板に穿設された対応穴部を挿通する。
【００１０】
好ましくは、筐体テール部の側壁にもノッチが穿設され、透明板で封止され、透明板は、少なくとも１つの表示灯に向き合う。
【考案の効果】
【００１１】
上記技術的手段の有利な効果としては、
電動カーテンに応用されるカーテン駆動アセンブリは、筐体と、電源モジュールと、駆動モーターと、後蓋板と、制御スイッチと、を備え、電源ボックスアセンブリを電動カーテン本体から独立して設計することで、取り付け・取り外し・保守及び輸送・保管に便利となり、同時に制御スイッチを筐体のテール部の後蓋板に配置することで、設計スペースを効果的に節約し、筐体内により大きな容量の電源モジュールを追加で取り付けることができ、全体的な構造をよりコンパクトにさせることができる。
【図面の簡単な説明】
【００１２】
【図１】本考案の電動カーテンに応用されるカーテン駆動アセンブリの立体図である。
【図２】本考案の電動カーテンに応用されるカーテン駆動アセンブリの立体分解図である。
【図３】本考案の電動カーテンに応用されるカーテン駆動アセンブリの局所構造の立体分解図である。
【考案を実施するための形態】
【００１３】
本考案の実現する技術的手段、創造的特徴、達成目的及び効果を理解しやすくするため、以下に実施例及び図面を参照しつつ本考案を具体的に説明する。
【００１４】
図１乃至図３を参照すると、本実施例によって提供される電動カーテンに応用されるカーテン駆動アセンブリは、
内部に収容室が形成され、収容室内に電源モジュール、電源モジュールと電気的に接続された駆動モーター４が配置され、駆動モーター４の出力軸が前方に向けて筐体１の前端面から突出する筐体１と、
筐体１のテール部を覆い被せる後蓋板６と、
電源モジュールに電気的に接続され、制御スイッチ８の少なくとも一部が後方に向けて後蓋板６から突出するか、又は後蓋板６に形成され、電源モジュールの電力出力のオンオフ状態を調整するための制御スイッチ８と、を備える。
【００１５】
上記技術的手段によれば、電動カーテンに応用されるカーテン駆動アセンブリは、筐体１と、電源モジュールと、駆動モーター４と、後蓋板６と、制御スイッチ８と、を備え、電源ボックスアセンブリが電動カーテン本体から独立して設計され、取り付け・取り外し・保守及び輸送・保管に便利となり、同時に制御スイッチ８を筐体１のテール部の後蓋板６に配置することで、設計スペースを効果的に節約し、筐体１内により大きな容量の電源モジュールを追加で取り付けることができ、全体的な構造をよりコンパクトにさせることができる。
【００１６】
好ましい実施形態において、電源モジュールは、互いに電気的に接続されたバッテリー２と回路基板３とを備え、制御スイッチ８が回路基板３に電気的に接続される。さらに、筐体１のテール部と後蓋板６との間に取り付け溝が形成され、取り付け溝内に回路基板３と互いに電気的に接続されたライトボード７が固設され、制御スイッチ８はライトボード７に形成され、端部が後方に向けて後蓋板６に穿設されたスロットから突出する。さらに、制御スイッチ８は、トグル構造であるが、押しボタン構造であってもよく、これに限定されない。
【００１７】
より好ましい実施形態として、筐体１の前端は、前蓋板１０で封止され、前蓋板１０に駆動モーター４の出力軸が挿通するための貫通穴が穿設される。さらに、ライトボード７にはバッテリー２の残量及び駆動モーター４の動作状態を表示するための複数の表示灯９を有し、表示灯９の端部が後方に向けて後蓋板６に穿設された対応穴部を挿通する。さらに、筐体１テール部の側壁にもノッチが穿設され、透明板１２で封止され、透明板１２は少なくとも１つの表示灯９に向き合い、表示灯の光を側方に露出して、使用者が各電気機器の動作状態を簡単に観察できるようにさせるため用いられる。
【００１８】
より好ましい実施形態として、筐体１内にも受け金具５が脱着可能に設けられ、駆動モーター４、電源モジュールは受け金具５に前後配置するよう取り付けられることで、各部材間の取り付け・取り外しや保守に便利である。
【００１９】
具体的な応用において、駆動モーター４、電源モジュールを電源ボックス内に統合し、使用時、全体が電動カーテン本体に挿入すると組付けが完了し、取り付け・取り外しや保守に非常に便利になり、同時に簡単に保管や輸送できる。かつ制御スイッチ８の後方設置の設計により全体的な構造をよりコンパクトさせることで、駆動モーター４及び電源モジュールのためより多くのスペースを確保でき、従来の直接電線で商用電源に接続する方法を代替し、取り付け状態下の配線が整えられ、取り付け位置への要求も大幅に低下し、取り付け位置の壁に電源コンセント又は電源タップを追加で配置する必要もない。
【００２０】
上記は、本考案の好ましい実施例に過ぎず、本考案にとって例示であって制限的なものではないと考えられるべきである。当業者は、本考案のクレームによって限定される精神及び範囲内で多種多様の変更や修飾、さらに均等物を加えることができる。ただし、かかる変更や修飾などは、本考案の意図した保護範囲内に網羅される。
【図１】
0003234683.tif 000003
【図２】
0003234683.tif 000004
【図３】
0003234683.tif 000005